(57)【要約】【課題】  一部式立体縫製きものでありながら、リバーシブル構造でかつ着崩れを起こさずに洋服感覚で簡易に着ることを可能とする。【解決手段】  縫製した際に着用者の身体に適合するように予め立体裁断された上身頃部１９、お端折り部２１、下身頃部２０を曲線縫製して立体的に構成された一部式立体縫製きもの１において、表と裏とで異色または異なる柄で統一されると共にいずれの面にも前記お端折り部２１を設け、いずれの面も表面として着用可能としたリバーシブル構造に縫製されている。【選択図】        図１
2011168939.tif 000002
【特許請求の範囲】
【請求項１】
縫製した際に着用者の身体に適合するように予め立体裁断された上身頃部、お端折り部、下身頃部を曲線縫製して立体的に構成された一部式立体縫製きものにおいて、表と裏とで異色または異なる柄で統一されると共にいずれの面にも前記お端折り部を設け、いずれの面も表面として着用可能としたリバーシブル構造に縫製されていることを特徴とするリバーシブル構造の一部式立体縫製簡易きもの。
【請求項２】
前記下身頃部の一方の袵の上端に身八口を通してきものの内側から外へ抜けて前身頃側へ回される第１のウェストベルトと、他方の袵の上端にきものの外から背側へ回って反対側の前身頃側へ回されて前記第１のウェストベルトと互いに連結される第２のウェストベルトとを備え、前記袵の上端縁部分が着用時に水平となるように形成すると共に該上端縁付近に前記第１及び第２のウェストバンドの一端を取付け、前記第１及び第２のウェストバンドを締め付けたときに水平方向に両端の衿先部分を締め付けるものである請求項１記載のリバーシブル構造の一部式立体縫製簡易きもの。
【請求項３】
前記上身頃部の衿は、内側に二つ折りすることにより一般的な幅の衿を形成可能な幅広に形成されており、内側に折り返すことによって前記上身頃部の表側となる面と同じ色あるいは柄とされると共に、前記衿は前記上部身頃の前記下部身頃あるいは前記お端折りとの境まで前記上身頃部に縫合され、前記下部身頃の前記袵あるいは前記お端折りと交わる衿先端部分については前記下部身頃の前記袵あるいは前記お端折りに対して縫合されずに自由に動き得るように設けられ、前記下部身頃部の裏面側に潜り込ませるものである請求項１または２記載のリバーシブル構造の一部式立体縫製簡易きもの。
【請求項４】
前記衿の前記衿先端部分の表面と裏面とには、衿を内側に二つ折りした状態で嵌合する少なくとも一対の衿折り用ボタンがそれぞれ設けられ、一対の衿折り用ボタンを嵌合させて衿先端部分における衿の幅と形状を保つように設けられると共に、前記衿先端部分の前記下部身頃の前記袵の裏面あるいは裏面側において前記袵の裏面に重なるように配置される前記お端折り並びに前記下部身頃の袵の表面あるいは表面側において前記袵に重なるように配置される前記お端折りのいずれか一方に対して衿先端部分固定用ボタンを介して着脱可能に固定されることにより、前記上部身頃に縫合されている前記衿の形状を保ちつつ前記衿の延長線上に保持されるように設けられているものである請求項１から３のいずれか１つに記載のリバーシブル構造の一部式立体縫製簡易きもの。
【発明の詳細な説明】
【技術分野】
【０００１】
本発明は、洋服のような感覚で誰にでも容易に着用できる立体縫製きものに関する。さらに詳述すると、本発明は、表裏を入れ替えることで色や柄を変更可能としたリバーシブル構造の一部式立体縫製きもの及びきものセットに関する。
【背景技術】
【０００２】
従来のリバーシブル構造のきものとしては、例えば、表裏異色、または異なる柄に染められた布帛、あるいは表裏異なる組織をもつ布帛を、表裏の全面が完全に同色、または同柄、あるいは同組織に統一された１枚仕立てに縫製されている着物が提案されている（特許文献１、特許文献２、特許文献３）。また、着用が簡易な上下セパレート（二部）式のきものにおいても、表地と裏地とが共に表面として着用可能なリバーシブル構造のものが提案されている（特許文献４、特許文献５）。
【先行技術文献】
【特許文献】
【０００３】
【特許文献１】特開２００６−２３１１
【特許文献２】実開昭６３−１４３５１１号
【特許文献３】実用新案登録第３０７８３５８号
【特許文献４】特開２００１−１３１８０９
【特許文献５】特開２０００−２３４２０７号
【発明の概要】
【発明が解決しようとする課題】
【０００４】
しかしながら、上下連続した伝統的な普通のきものの場合（特許文献１〜３）、リバーシブル構造には容易にできるものの、近年のきもの離れの大きな原因となっている着付けの難しさを解消することができないため、簡易に着用できるものではない。
【０００５】
一方、二部式きものは、洋服と同様に立体裁断・縫製された上着部と巻きスカートのような下着部とに分かれており、下着部と上着部との境目を帯で隠すことによって見た目には上下連続した普通のきものと変わらないようにしようとしたものであるため、本質的には洋服と同じであることから、着用することが簡単であると共にリバーシブル構造にすることも比較的容易である。
【０００６】
しかしながら、二部式きものは、見た目にはきものを着ているように見えたとしても、実態は巻きスカートと上着とを別々に着用してそれらの境目を帯で隠してるだけなので、後衿の型崩れが生じ易く、また普通の着物のように「襟元」や「お端折り」が綺麗に決まらず、しかも、普通の着物のような自然な一体感が得られないという不満も生じている。殊に、着用するとき、さらには脱ぐときに、きものとは全く異なる形態であるため、人前で脱ぎ着することが憚れ、和装を楽しむという気分をややもすれば損なうという問題がある。
【０００７】
他方、上下連続した普通のきものと変わらない一部式きものは、身長から割り出された身丈やお端折りの位置などが決められるイージー・オーダー（ハーフ・メード）なので、洋服を着るような着やすさでありながら、普通のきものと全く同じ着用感があり、着付けが簡易でありながら本物のきものを着ているという満足感が得られるものである。しかしながら、着付けが完了した状態のきものを立体裁断と縫製とで再現するため、お端折りの存在や衿の構造が着付けで形成する本来のきものと異なり、リバーシブル構造を難しいものとしている。
【０００８】
このことから、洋服のような感覚で誰にでも容易に着用できる着やすさでありながら、上下が連続した普通のきものと同じような着用感があり、きものを着ているという満足感が得られる一部式立体縫製きものにおいてリバーシブル構造を実現することが望まれている。
【０００９】
また、従来の一部式立体縫製きものにおいては、衿先に縫い付けたウェストベルトで締め付けることにより止め付けるため、衿先を肩側へ引き上げる力が働くため、長時間装着した際などに衿元にだぶつきを生じることがある。
【００１０】
また、きものそのものをリバーシブル構造でかつ簡易に着やすい構造としても、その下に長襦絆などを着崩れのないように衿の形を整えて見栄え良く着ることは、熟練のないものには一人で手早くかつ容易に簡単にはできない。特に、長襦袢の着用は、伊達締めで締め付ける前に長襦袢の下前を合わせる際に抜いた衿が前にきてしまうなど、後衿の形状が安定せず着崩れが生じ易いという問題がある。長襦袢は、下着としてきものの良し悪しを左右すると共にコーディネートのポイントともなる重要な存在であり、衿の合わせ加減や衿の抜き具合など、長襦袢の着方で着姿がかなり決まってしまうものであることから、熟練のないものには一人で手早くかつ簡単には着ることはできない。しかしながら、長襦袢の代わりに着脱自在な半衿をきものの衿の内側に取り付ける簡易きものでは、あまりにも簡略化し過ぎるためにきものの装いを楽しむという趣を無くしてしまう不満が生ずる。つまり、衿抜きをして後衿の深さを着物の特徴などに適したものとするなどの、細部にわたっての調整が出来ず、単に着物の衿に固着するといった内容に過ぎない。いかにも、簡易版といった印象を拭い去れない。そこで、洋服のような感覚で誰にでも容易に着用できる着やすさでありながら、きものを着ているという満足感が得られるリバーシブル構造の一部式立体縫製きものセットを実現することが望まれている。
【００１１】
そこで本発明は、リバーシブル構造の一部式立体縫製簡易きものを提供することを目的とする。また、本発明は、着崩れせずに長襦袢の後衿を簡単に抜く事ができ、着物の特徴に適した後衿の深さを簡単に造りだせて本格的着物と比べても遜色のない美しい装いが可能なリバーシブル構造の一部式立体縫製簡易きものセットを提供することを目的とする。
【課題を解決するための手段】
【００１２】
かかる目的を達成するため、本発明は、縫製した際に着用者の身体に適合するように予め立体裁断された上身頃部、お端折り部、下身頃部を曲線縫製して立体的に構成された一部式立体縫製きものにおいて、表と裏とで異色または異なる柄で統一されると共にいずれの面にも前記お端折り部を設け、いずれの面も表面として着用可能としたリバーシブル構造に縫製されていることを特徴とするものである。
【００１３】
また、本発明のリバーシブル構造の一部式立体縫製簡易きものは、下身頃部の一方の袵の上端に身八口を通してきものの内側から外へ抜けて前身頃側へ回される第１のウェストベルトと、他方の袵の上端にきものの外から背側へ回って反対側の前身頃側へ回されて前記第１のウェストベルトと互いに連結される第２のウェストベルトとを備え、前記袵の上端縁部分が着用時に水平となるように形成すると共に該上端縁付近に前記第１及び第２のウェストバンドの一端を取付け、前記第１及び第２のウェストバンドを締め付けたときに水平方向に両端の衿先部分を締め付けるようにしている。
【００１４】
したがって、本発明のリバーシブル構造の一部式立体縫製簡易きものによると、任意の面を表としてきものを羽織り、衽の上端の第１のウェストベルトをきものの内側から身八口を通してきものの外の背面側へ引き出してから再び反対側の前身頃側へ回す一方、第２のウェストベルトをきものの外から背側へ回して反対側の前身頃側へ引き回し、きものの前で第１及び第２のウェストベルトを互いに連結することにより、前身頃側の袵の着丈を調整しながら、きものの着付けが完了する。
【００１５】
さらに、本発明のリバーシブル構造の一部式立体縫製簡易きものにおいて、上身頃部の衿は、内側に二つ折りすることにより一般的な幅の衿を形成可能な幅広に形成されており、内側に折り返すことによって前記上身頃部の表側となる面と同じ色あるいは柄とされると共に、前記衿は前記上部身頃の前記下部身頃あるいは前記お端折りとの境まで前記上身頃部に縫合され、前記下部身頃の前記袵あるいは前記お端折りと交わる衿先端部分については前記下部身頃の前記袵あるいは前記お端折りに対して縫合されずに自由に動き得るように設けられ、前記下部身頃部の裏面側に潜り込ませるものである。
【００１６】
さらに、本発明のリバーシブル構造の一部式立体縫製簡易きものにおいて、衿の衿先端部分の表面と裏面とには、衿を内側に二つ折りした状態で嵌合する少なくとも一対の衿折り用ボタンがそれぞれ設けられ、一対の衿折り用ボタンを嵌合させて衿先端部分における衿の幅と形状を保つように設けられると共に、前記衿先端部分の前記下部身頃の前記袵の裏面あるいは裏面側において前記袵の裏面に重なるように配置される前記お端折り並びに前記下部身頃の袵の表面あるいは表面側において前記袵に重なるように配置される前記お端折りのいずれか一方に対して衿先端部分固定用ボタンを介して着脱可能に固定されることにより、前記上部身頃に縫合されている前記衿の形状を保ちつつ前記衿の延長線上に保持されるように設けられているものである。
【発明の効果】
【００１７】
請求項１記載のリバーシブル構造の一部式立体縫製きものによれば、きもののいずれの面を表にしても、縫製した際に着用者の身体に適合するように予め立体裁断された上身頃部、お端折り部、下身頃部から成る立体縫製きものが、統一された色または柄例えば同色または同柄で構成されるので、いずれの面も表面として着用可能となる。
【００１８】
しかも、請求項２記載のリバーシブル構造の一部式立体縫製きものによれば、衿先の重なった部分が互いに逆向きに水平に引っ張られた状態で固定されるため、衿先を肩側へ引き上げる力が働かないため、長時間着用しても衿元にだぶつきを生じることが少ない。つまり、着崩れを起こしやすい襟元においてより一層着崩れし難いものとなる。
【００１９】
また、請求項３記載のリバーシブル構造の一部式立体縫製きものによれば、衿を二つ折りに内側に折り返すだけで、表のみならず内側に現れる面も、きものの表面と同じ色あるいは柄から成る衿が形成できる。
【００２０】
さらに、請求項４記載のリバーシブル構造の一部式立体縫製きものによれば、衿先端部分が下部身頃の袵の裏面あるいは裏面側において袵の裏面に重なるように配置されるお端折りの内側に固定され、上部身頃に縫合されている衿の形状を保ちつつ衿の延長線上に保持されるように設けられているので、衿元が着崩れすることがない。
【図面の簡単な説明】
【００２１】
【図１】本発明のリバーシブル構造の一部式立体縫製きものの一実施形態を半身開いて示す正面図である。
【図２】同きものの反対側の面を表面として片方だけ閉じて半身開いて示す正面図である。
【図３】上身頃部、お端折り部、下身頃部の関係を示す説明図である。
【図４】図１とは反対側の半身を開き、図１で開いていた半身を閉じて示す正面図である。
【図５】袵とお端折りと衿並びにウェストバンドとの関係を示す斜視図である。
【図６】袵とお端折りと縫い上げ部との関係を示す斜視図である。
【図７】袵と衿との関係を示す斜視図である。
【図８】袵の表側（Ａ）と裏側（Ｂ）のボタンを示す斜視図である。
【図９】長襦袢の衿の後ろのボタンの配置を示す斜視図である。
【図１０】長襦袢の衿の内側のボタンの配置を示す斜視図である。
【図１１】替え衿の一実施例を示す斜視図である。
【発明を実施するための最良の形態】
【００２２】
以下、本発明の構成を図面に示す実施形態に基づいて詳細に説明する。
【００２３】
図１〜図８に本発明にかかるリバーシブル構造の一部式立体縫製簡易きものの実施の一形態を示す。この立体縫製きもの１は、立体裁断された各パーツ例えば主に上部身頃１９と下部身頃２０とお端折り２１とを別々に縫って仮仕上をしたものを、腰部接続の曲線部分のサイズを合わせ、それを所定のきもの掛に掛け、身頃がつれない様に止めを入れ、一体化の仕上げ縫いをすることにより仕上げられるものである。
【００２４】
ここで、本発明のリバーシブル構造の一部式立体縫製簡易きものは、構成要素たる各パーツ毎に、表裏異色または異なる柄に染められた布帛あるいは表裏異なる組織をもつ布帛によって構成されている。そして、各パーツを立体縫製したときに表裏の全面が完全に同色または同柄あるいは同組織に統一された１枚仕立てに縫製される。尚、きもの１の一方の面をＡ、他方の面をＢで示す。因みに、一部式立体縫製きもの１は、通常、イージー・オーダーであることから身丈やお端折りの位置などが着用者の身長から割り出され、それに応じて上部身頃１９、下部身頃２０、お端折り２１などが立体裁断される。因みに、立体縫製きものの構造並びに縫製方法についての詳細は例えば特公平５−６５６０１等において良く知られているので、その説明な説明は割愛する。
【００２５】
また、本実施形態のきものにおいては、リバーシブル構造とするため、お端折り２１が裏面側と表面側とにそれぞれ形成されている。そして、少なくとも表面としたときの上側の袵２４となる方の端において、お端折り２１は、袵２４部分よりもさらに横にはみ出るように長めに形成されている。他方、下側の袵２４となる方の端のお端折り２１は、上側の袵２４のお端折り２１と重複する部分を少なくするため、下側となる袵２４部分に達するよりも手前側で末端となるように短めに形成されている。このことは反対側の面のお端折り２１においても同様であり、表面としたときの上側の袵２４となる方の端において、お端折り２１は、袵２４部分よりもさらに横にはみ出るように長めに形成され、下側の袵２４となる方の端のお端折り２１は、下側となる袵２４部分に達するよりも手前側で末端となるように短めに形成されている。これにより、立体縫製きもの１の軽量化と無駄な生地の削減によるコストダウンを可能とする。勿論、お端折り２１の左右の両端をそれぞれ袵２４部分にまで延ばすようにしても良い。
【００２６】
また、衿４は、内側に二つ折りすることにより一般的な幅の衿を形成可能な幅広に形成されている。したがって、上部身頃１９の表側の面と衿の表側の面とが同じ色あるいは柄となるように形成され、内側に折り返すことによって、衿４の表側となる面と裏側となる面とが同じ色あるいは柄とされる。この衿４は、上部身頃１９の下部身頃２０あるいはお端折り２１との境まで上部身頃１９に縫合され、下部身頃２０の袵２４あるいはお端折り２１と交わる衿先端部分４ａについては下部身頃２０の袵２４あるいはお端折り２１に対して縫合されずに自由に動き得るように設けられている。また、下部身頃２０の袵２４あるいはお端折り２１に対して縫合されていない衿先端部分４ａは、下部身頃２０の袵２４の裏面あるいは裏面側において袵２４の裏面に重なるように配置されるお端折り２１並びに下部身頃２０の袵２４の表面あるいは表面側において袵２４に重なるように配置されるお端折り２１のいずれか一方に対して衿先端部分固定用ボタン２ａ，２ｂを介して着脱可能に固定されることにより、上部身頃１９の前身頃に縫合されている衿４の形状を保ちつつ衿４の延長線上に保持されるように設けられている。本実施形態の場合、下部身頃２０の袵２４の裏面あるいは袵２４の裏面にお端折り２１が重なるように配置されている場合にはお端折り２１の衿先端部分４ａと交わる上端縁２５付近に、並びに下部身頃２０の袵２４の表面あるいは袵２４の表面にお端折り２１が重なるように配置されている場合にはお端折り２１の衿先端部分４ａと交わる上端縁２５付近に、それぞれ雌雄一対の衿先端部分固定用ボタン２ａ，２ｂの一方例えば雄ボタン２ａが２個ずつ横に並べて袵２４の上端縁２５と平行に縫い付けられる一方、衿４側にも表面と裏面とにそれぞれ衿先端部分固定用ボタン２ａ，２ｂの他方例えば雌ボタン２ｂが２個ずつ衿幅方向に並べて縫い付けられている。そして、いずれの面を表側としてきものを着用する場合にも、衿先端部分４ａを下部身頃２０の裏面側の袵２４あるいはお端折り２１の衿先端部分固定用ボタン２ａと嵌め合わせて下部身頃２０の内側に収められるように設けられている。
【００２７】
また、衿４の表面と裏面とには、衿４を内側に二つ折りした状態で嵌合する少なくとも一対の衿折り用ボタン５ａがそれぞれ設けられ、一対の衿折り用ボタンを嵌合させて衿先端部分４ａにおける衿４の幅と形状を保つように設けられている。本実施形態では、いずれの面を表面としても衿折り用ボタン５ａが露出しないようにするため、帯などに隠れる部分、より好ましくは帯の位置などが動いても確実に隠れる部分例えば下部身頃２０の袵２４と交わる衿先端部分４ａに設けられている。ここで、衿先端部分固定用ボタン２ｂと衿折り用ボタン５ａとは、一方を使用するときには他方は使用されない関係にある。即ち、衿折り用ボタン５ａを用いて衿４を内側に二つ折りするときには、その内側に配置される衿先端部分固定用ボタン２ｂは二つ折りされる衿に包まれて下部身頃２０側の衿先端部分固定用ボタン２ａとは嵌合できない状態となる。そこで、本実施形態では、衿先端部分固定用ボタン２ｂを衿折り用ボタンとして兼用することによりボタンの数を減らすようにしている。即ち、衿先端部分固定用ボタン２ｂと雄雌が反対の関係にあるボタンを衿折り用ボタン５ａとして、衿幅方向に並べて配置された２個の衿先端部分固定用ボタン２ｂの延長線上でかつ衿４の縁側に設けることにより、衿４の外側の縁の近くの衿折り用ボタン５ａと衿幅方向内側に配置される同一線上の衿先端部分固定用ボタン２ｂのいずれか一方と組み合わせることで一組の衿折り用ボタンを構成するように設けられている。そして、衿４の裏面側にも、衿４の表面の衿折り用ボタン５ａ並びに衿先端部分固定用ボタン２ｂと雌雄が逆の関係となる３つのボタンが横に並べて配置されている。したがって、衿４の外側の縁の近く設けられている衿折り用ボタン５ａと２個の衿先端部分固定用ボタン２ｂのいずれか一方とを嵌合させることにより、衿を内側に二つ折りした状態に保持する。その二つ折り状態の衿先端部分４ａの外側の面の２つの衿先端部分固定用ボタン２ｂを下部身頃２０の袵２４の内側の面あるいは内側のお端折り２１に配置された２つの衿先端部分固定用ボタン２ａと嵌合させることにより、衿先端部分４ａを下身頃部２０の袵上端縁２５あるいはお端折り２１の上端縁近傍にそれぞれ固定することができる。これにより、衿先端部分４ａが上部身頃１９の前身頃に縫合されている衿の形状を保ちながら衿の延長線上に保持される。尚、本実施形態では、衿４に設けられた衿先端部分固定用ボタン２ｂは表裏とも雌であり、衿折り用ボタン５ａは表裏とも雄である。他方、下身頃側２０の衿先端部分固定用ボタン２ａは表裏とも雄である。しかし、この関係に限られず必要に応じて雄雌は逆転させても良い。
【００２８】
依って、きものの任意面を表面として羽織ったときに衿部を内側に折り返して衿先端部分側で衿折り用ボタンにより二つ折りの状態で互いに連結すると共に、衿先端部分を下身頃の下即ち袵の内側あるいは袵の内側に重なるお端折りの内側に差し込んで衿先端部分固定用ボタンで下部身頃側に固定することができる。
【００２９】
また、本実施形態の立体縫製きもの１は、下部身頃２０のお端折り２１で隠れる部分において縫い上げ部２２を設け、必要に応じて縫い上げ部２２を降ろすことにより下部身頃２０の長さを変更可能として身長に応じて着物の長さを調整可能としている。例えば、下部身頃２０のお端折り２１で隠れる部分を折り返して平行に３箇所で縫い付けることにより縫い上げ部２２を設けると、任意の縫い付け糸２３を抜糸することで、最大４段階の長さ調整を可能としている。
【００３０】
また、本実施形態の立体縫製きもの１は、袵２４の上端縁２５部分を着用状態で水平となるように形成し、この上端縁２５の近傍に上端縁２５と平行に第１及び第２のウェストバンド２６，２７をそれぞれ取付け、各バンド２６，２７を締め付けたときに水平方向に両袵２４の上端縁２５と衿先部分を締め付け得るように構成されている。したがって、衿先を肩側へ引き上げる力が働かないため、長時間着用しても衿元にだぶつきを生じることが少ない。
【００３１】
ここで、立体縫製きもの１の下側の袵に取り付けられる第１のウェストベルト２６は、身八口３０を通してきもの１の内側から外へ抜けて前身頃３１側へ回される。他方、上側の袵に取り付けられる第２のウェストベルト２７は、きもの１の外から背側へ回って反対側の前身頃３１側へ回される。そして、これら第１及び第２のウェストベルト２６，２７の両端を体の前で係合させるきもの用係合部材２８，２９を備える。本実施形態の場合、第１及び第２のウェストバンド２６，２７としては、ゴムバンドが使用されており、それぞれの先端側には対を成すきもの用の係合部材２８，２９が備えられており、着脱自在に固定可能とされている。さらに本実施形態の場合、第１及び第２のウェストバンド２６，２７は、きもの１の袵２４の上端縁２５部分に身丈方向に複数段に通し部が形成されたウェストベルト用ベルト通し３４を備え、きもの１に対して当該バンド２６，２７を着脱自在に取り付けるように設けられている。この場合、きもの１を折り畳むときに、ウェストベルト２６，２７をきもの１から取り外すことができるので、きもの１の折り畳みが容易となる。
【００３２】
さらに、袵とお端折りとが重なる部分においては、第１及び第２のウェストバンド２６，２７を通すウェストベルト用ベルト通し３４が縫い付け難いため、図６に示すように、本実施形態の場合には、袵２４とお端折り２１とが直接縫い付けられず、切り離された状態で縫製された後、ボタン６ａ，６ｂで止め付けるように設けられている。
【００３３】
縫い上げ部２２は、お端折り２１の下端よりも上で尚かつ上部身頃１９への縫い付け位置３６よりも下の位置に設けられる。例えば、上部身頃１９と下部身頃２０との縫い合わせ箇所に更にお端折り２１の上端縁部３６が縫い付けられる場合、このお端折り２１の上端縁部３６が縫い付けられる箇所から下の下部身頃２０部分でかつお端折り２１に隠れる部位に縫い上げ部２２が設けられる。これにより、着丈調整ベルト３５で着丈を調整する場合に、お端折り２１の縫い付け箇所（お端折り２１の上端縁部３６）よりも下の身頃部分即ち下部身頃２０が持ち上げられても、お端折り２１の下（お端折り２１に隠れた部分）できもの１の内側へ折り返されるため、着丈調整のための折り返し部分がきもの１の外観に現れない。
【００３４】
さらに、ウェストベルト用ベルト通し３４は、両袵２４の上部に、丈方向に互いに離して形成されている。本実施形態の場合、下前側となる衽２４のウェストベルト用ベルト通し３４と、上前側となる衽２４のウェストベルト用ベルト通し３４とは、身丈方向において同じ高さとなるように配置されている。具体的には、ウェストベルト用ベルト通し３４は、本実施形態の場合、やや幅広の帯状紐をウェストベルトの幅よりもおおきな間隔を以て一定間隔毎に複数箇所で袵２４部分に縫いつけることによって形成されている。本実施形態の場合、両衽２４にそれぞれ複数段例えば３段（１段は縫い上げ部２２に隠されている）のウェストベルト用ベルト通し３４が設けられているが、これに特に限られるものでなく、着丈調整幅に応じて必要な数のウェストベルト用ベルト通し３４が設けられることは言うまでもない。また、ウェストベルト用ベルト通し３４は、帯状紐を区切るように縫いつけることで構成される場合に限られず、例えばループ状の紐を縫いつけることなどによって形成するようにしても良い。また、ウェストベルト用ベルト通し３４は１段であっても、即ち丈方向に１箇所であっても、第１及び第２のウェストベルト２６，２７の身体に巻き付けて固定する位置自体を丈方向に移動させることで、袵２４と前身頃３１側の着丈を調整することができる。しかしながら、第１及び第２のウェストベルト２６，２７を身体に巻き付けて固定する位置は、同じ高さである方が着付けの上ではしっくりと行くものである。このため、複数段のウェストベルト用ベルト通し３４を設けて、第１及び第２のウェストベルト２６，２７を通す段を変えることによって袵２４と前身頃３１側の着丈調整を行うことが好ましい。
【００３５】
また、第１及び第２のウェストベルト２６，２７は、ウェストベルト用ベルト通し３４に通される方の端部に雌雄一対の面ファスナー３３を長手方向に並べて縫いつけ、ウェストベルト用ベルト通し３４に端部を通して折り返したときに雌雄一対の面ファスナー３３を接合させてウェストベルト用ベルト通し３４に巻き付けて取り付けるようにしている。この場合、面ファスナー３３の接合あるいは剥離させるだけで容易に第１及び第２のウェストベルト２６，２７をウェストベルト用ベルト通し３４に対して着脱自在に取り付け得る。
【００３６】
以上のように構成された本発明の一部式立体縫製きもの１によると、所望とする色あるいは柄の面を表面とするように、必要に応じて袖を含めて裏表を引っ繰り返す。また、帯も、きものの色あるいは柄に応じて、所望の色あるいは柄の面を表面とするように、太鼓部を太鼓部を必要に応じて引っ繰り返し、太鼓部を形成すると共に帯部の表面と色あるいは柄を合わせる。さらに、好みに応じてきもの１の色あるいは柄に合う色あるいは柄の替え衿を長襦袢に取り付ける。勿論、無地の白衿の長襦袢をそのまま着用するようにしても良い。また、所望とする長襦袢（インナーとも呼ばれるものであり、以下インナーと呼び同義に用いる）３の衿抜きの深さに応じて衿抜き用通しベルト１１を通す力布９のベルト通し１２ａ，１２ｂ，１２ｃの位置・段を決め、該当する段のベルト通しベルト通し１２ａ，１２ｂあるいは１２ｃに衿抜き用通しベルト１１を通しておく。尚、本発明の立体縫製きものセットは、図１〜図１０に例示する一部式立体縫製きもの１とインナー３並びに図示していない立体縫製帯とで構成されるものである。そして、インナー３は、きもの１と同様に、縫製した際に着用者の身体に適合するように予め立体裁断されたパーツを曲線縫製して立体的に構成されたものである。
【００３７】
ここで、インナー３には、背の内側に衿抜きのための力布９が設けられている。この力布９は、下に引っ張ることで衿抜きを可能とするものであり、例えば後身頃８の背中心において上端が後身頃８と衿５との縫い合わせ部分に、下端が身八ッ口１０と同程度の高さの位置でインナーの後身頃の背中心に対して左右対称になるよう配置されて縫い付けられている。したがって、力布９に通された衿抜き用通しベルト１１をインナー３の内側で着用者の体に巻き付けながら着用者の体の前へ回して固定することにより、インナー３の衿抜きの深さを決定して固定することができる。
【００３８】
さらに、本実施例の場合、力布９には、衿抜き用通しベルト１１を通すための筒状の複数のベルト通し、例えば上段、中段、下段の三通りのベルト通し１２が背丈方向に備えられ、いずれかのベルト通し１２を選択して衿抜き用通しベルト１１を通すことで衿抜きの深さを調整可能としている。即ち、上段、中段、下段の三通りのベルト通し１２は、ほぼ同じ高さで体に固定される衿抜き用通しベルト１１が通されることにより力布９を下に引っ張る力を与えたり、あるいは引っ張る力を解放したりすることにより、きものの個性及び特徴に応じた後衿の深さを簡単に造りだせる。例えば、最下段のベルト通し１２は普段着等での衿抜き、中段のベルト通し１２は訪問着等での衿抜き、最上段のベルト通し１２はより深い衿姿が必要となるきもの等、夫々の個性に適したベルト通し高さを設定することができる。しかも、衿抜き用通しベルト１１を締め付けて固定した時には後衿を下げた状態で固定されるため衿５の抜きが安定する。
【００３９】
また、衿抜き用通しベルト１１は、本実施形態の場合、その両端に面ファスナー１３ａ，１３ｂを備えたゴムベルトを用いるようにしている。本実施形態の場合、衿抜き用通しベルト１１は調整が容易なゴムベルトを使用しているがこれに特に限定されるものではなく、長さが調整可能な布ベルトや紐を用いるようにしても良い。
【００４０】
インナー３には、さらに、前身頃の衿の下部分に身八口１０を通してインナー３の内側から外へ抜けて前身頃１８側へ回されるインナー用第１のバンド１５と、インナー３の外から背側へ回って反対側の前身頃１８側へ回されるインナー用第２のバンド１４とがそれぞれ設けられている。これらインナー用第１及び第２のバンド１５，１４はインナー３の周りを巻き締めるようにして体の前で互いの端部を係合させるインナー用係合部材１６，１７を備える。このインナー用第１及び第２のバンド１５，１４は、特に限定されるものではないが、インナー３の前身頃の衿の下部分に直接縫い付けるようにして固着するようにしている。
【００４１】
替え衿３２は、図１１に示すように、リバーシブル構造の両端の裏表面にそれぞれ雌雄一対のボタンの一方例えばボタン７ａを設けると共に、中央部分に幅方向に一対のボタン７ｂ並びに衿元の両側にボタン７ｂを並べて配置するようにしている。他方、インナー３り衿には、対となる他方のボタン６ａ，６ｂが対応する位置に配置され、替え衿３２の表あるいは裏のいずれかの面を表面としてインナー３の衿に取り付け可能としている。
【００４２】
そこで、インナー３ときもの１を重ねた状態で一緒に羽織り、あるいはインナー３だけを羽織り、羽織った状態でインナー３の内側から手を背中に回して衿抜き用通しベルト１１の両端を探し出して体の前へ回し、衿抜き用通しベルト１１の両端の面ファスナー１３ａ，１３ｂを貼り合わせることで固定する。これにより、衿抜き用通しベルト１１が力布９の通されたベルト通しの段１２ａ，１２ｂ，１２ｃの位置に応じて、力布９が下に引っ張られて固定されるので、インナー３の衿抜きの深さが決められると同時に固定され、その後のインナー３、きもの１の着付けにおいて着崩れを起こすことがない。
【００４３】
その後、インナー用第１及び第２のバンド１４，１５を用いてインナーを着用する。その後、第１及び第２のウェストバンド２６，２７を用いてきもの１の身丈調整をしながらきもの１を着用する。このとき、衽２４の上端の第１及び第２のウェストバンド２６，２７を、身長に応じた高さのウェストベルト用ベルト通し３４に通す。そして、第１のウェストベルト２６をきもの１の内側から身八口３０を通してきもの１の外の背面側へ引き出してから再び反対側の前身頃３１側へ回す一方、第２のウェストベルト２７をきもの１の外から背側へ回して反対側の前身頃３１側へ引き回し、きもの１の前で第２のウェストベルト２７の係合部材２９に第１のウェストベルト２６の先端の係合部材２８を引っ掛けて第１及び第２のウェストベルト２６，２７を互いに連結することにより、袵２４と前身頃３１側の着丈を調整する。これにより、きもの１の着丈の調整と同時に着用が完了する。同時に、きもの１の後身頃２２の着丈も調整された状態で第１及び第２のウェストバンド２６，２７によって固定される。
【００４４】
因みに、衽２４の上端の第１及び第２のウェストバンド２６，２７を身長に応じた高さのウェストベルト用ベルト通し３４に通してからきもの１の内外にそれぞれ回してきものの前で第１及び第２のウェストベルト２６，２７を互いに連結することにより後身頃の着丈を調整することができると共に袵の着丈を調整することができるので、着丈調整ができ、着丈調整も、着付けも簡単である。また、衽２４のウェストベルト用ベルト通し３４にウェストベルト２６，２７を通して着丈調整することによって、下前側となる衽の位置が固定される。依って、前身頃がはだけ難いものとなり、太鼓腹の人でも前がはだけることがなくなるという利点がある。
【００４５】
さらに、本実施形態の一部式立体縫製きものセットによれば、立体縫製きもの１とインナー３とを羽織った状態で、両手を自由に動かして衿抜き用通しベルト１１を使って予め任意の衿の深さと形をつくってからインナー３の前の固定を行ってインナー３を着用し、さらに第１及び第２のウェストベルト２６，２７を使って前身頃・衽２４の着丈調整を行ってきものの着用を完了できるので、熟練していなくとも一人で手早くかつ容易に衿抜き、着丈調整並びにきものの着用をすることができる。しかも、インナーときものとを重ねて同時に洋服感覚で一人で手早くかつ容易に着ることを可能としながらも、着崩れせずにインナーの後衿を簡単に抜くことができ、本格的きものと比べても遜色のない美しい装いが可能となる。
【００４６】
さらに、本実施形態の簡易きものセットによれば、衿抜き用通しベルト１１を通す力布９のベルト通し筒部１２ａ，１２ｂ，１２ｃを選択することで衿抜きの深さを簡単に調整可能とすることができる。つまり、両手を自由に動かせる状態で背中側に在る衿抜き用通しベルトを掴んで前に回して任意の衿の深さをつくることができるので、熟練していなくとも一人で手早くかつ容易に衿抜きができる。しかも、インナーの内側で衿抜き用通しベルトを体の前に回して体に巻き付けるだけで後衿の深さを決めて固定するようにしているので、きものとインナーとを羽織った状態でも、簡単にインナーの内側の背側にある衿抜き用通しベルトを探し出して前方へ回し、所望の衿深さに衿を抜いた状態でインナーの背側を体に固定することができる。このため、その後のインナー用第１及び第２のバンドを利用したインナーの前側の固定の際に、衿の形や深さが変わって着崩れを惹起することがない。依って、熟練していなくとも一人で手早くかつ容易に衿抜きができる。
【００４７】
また、衿抜き深さが決まった後にきものの着付けをして行くので、熟練していなくとも一人で手早く（３分程度）かつ容易にきものを着ることができる。しかも、衿抜き深さが決まった状態できものとインナーとをバンドで固定することから、着崩れを起こし難い。
【００４８】
したがって、インナーときものとを洋服感覚で一人で手早くかつ容易に着ることを可能としながらも、着崩れせずにインナーの後衿を簡単に抜くことができ、本格的着物と比べても遜色のない美しい装いが可能となる。
【００４９】
なお、上述の実施形態は本発明の好適な実施の一例ではあるがこれに限定されるものではなく、本発明の要旨を逸脱しない範囲において種々変形実施可能である。例えば、本実施形態では、下前側となる衽２４のウェストベルト用ベルト通し３４と、上前側となる衽２４のウェストベルト用ベルト通し３４とは、身丈方向において同じ高さとなるように配置されているが、これに特に限られるものでなく、場合によっては、下前側のウェストベルト用ベルト通し３４を上前側のウェストベルト用ベルト通し３４よりも身丈方向においてやや下側に設けるようにしても良い。この場合には、下前側の衽２４の第１ウェストバンド２６の取り付け位置が上前側の衽２４の第２ウェストバンド２７の取り付け位置よりも低くなるので、第１及び第２のウェストバンド２６，２７できもの１の前を止め付けたときに結果的に下前を持ち上げることとなるので、きものの裾が広がらずに着ることができ、装いが一層美しいものとなる。
【００５０】
また、本実施形態では、リバーシブル構造の立体縫製きもの１の下には、インナーを着用する例を挙げて主に説明しているが、場合によっては、きものの襟部分にインナーを模擬した襟を取り付けるようにして、インナーの着用を省略することもある。
【符号の説明】
【００５１】
１  立体縫製きもの
２ａ，２ｂ  衿先端部分固定用ボタン
３  立体縫製インナー（長襦袢）
４  衿
５ａ  衿折り用ボタン  
６  インナー側の替え衿を止めるボタン
７  替え衿側のボタン
９  力布
１０  身八ッ口
１１  衿抜き用通しベルト
１２  筒状のベルト通し
１３ａ，１３ｂ  衿抜き用通しベルトの両端の面ファスナー
１４  インナー用第１のバンド
１５  インナー用第１のバンド
２１  お端折り
２４  袵
２５  袵の上端縁
２６  第１のウェストベルト
２７  第２のウェストベルト
【図１】
2011168939.tif 000003
【図２】
2011168939.tif 000004
【図３】
2011168939.tif 000005
【図４】
2011168939.tif 000006
【図５】
2011168939.tif 000007
【図６】
2011168939.tif 000008
【図７】
2011168939.tif 000009
【図８】
2011168939.tif 000010
【図９】
2011168939.tif 000011
【図１０】
2011168939.tif 000012
【図１１】
2011168939.tif 000013
【手続補正書】
【提出日】平成22年5月12日(2010.5.12)
【手続補正１】
【補正対象書類名】図面
【補正対象項目名】全図
【補正方法】変更
【補正の内容】
【図１】
2011168939.tif 000014
【図２】
2011168939.tif 000015
【図３】
2011168939.tif 000016
【図４】
2011168939.tif 000017
【図５】
2011168939.tif 000018
【図６】
2011168939.tif 000019
【図７】
2011168939.tif 000020
【図８】
2011168939.tif 000021
【図９】
2011168939.tif 000022
【図１０】
2011168939.tif 000023
【図１１】
2011168939.tif 000024